(57)【要約】【課題】  安全性を確保することができ、かつ、任意の場所にて表示情報を提供する。【解決手段】  コンテンツ配信サーバ１０から配信されたコンテンツ情報をブロードバンドネットワーク４０を介して表示制御装置３０にて受信し、このコンテンツ情報を表示制御装置３０から無線にて移動式ブロードバンド掲示板２０に送信し、移動式ブロードバンド掲示板２０にて受信したコンテンツ情報を表示する。【選択図】図１
2006221535.tif 000002
【特許請求の範囲】
【請求項１】
情報配信手段から通信回線を介して配信される表示情報を表示する情報表示システムであって、
前記情報配信手段から配信された表示情報を表示する表示手段と、
前記情報配信手段から配信された表示情報を前記通信回線を介して受信し、該表示情報を無線にて前記表示手段に送信する制御手段とを有し、
前記表示手段は、前記制御手段から送信された表示情報を無線回線を介して受信し、該表示情報を表示する情報表示システム。
【請求項２】
請求項１に記載の情報表示システムにおいて、
前記表示手段は、内部電源を有することを特徴とする情報表示システム。
【請求項３】
請求項１または請求項２に記載の情報表示システムにおいて、
前記表示手段は、外部から指定情報が入力された場合、該指定情報を無線にて前記制御手段に送信し、
前記制御手段は、前記表示手段から送信されてきた指定情報を前記通信回線を介して前記情報配信手段に送信し、
前記情報配信手段は、前記制御手段から送信されてきた指定情報に応じた表示情報を配信することを特徴とする情報表示システム。
【請求項４】
情報配信手段から通信回線を介して配信される表示情報を制御手段による制御によって表示手段に表示する情報表示方法であって、
前記情報配信手段が、前記表示情報を配信する処理と、
前記制御手段が、前記情報配信手段から配信された前記表示情報を前記通信回線を介して受信し、該表示情報を無線にて前記表示手段に送信する処理と、
前記表示手段が、前記制御手段から送信された前記表示情報を無線回線を介して受信し、該表示情報を表示する処理とを有する情報表示方法。
【請求項５】
請求項４に記載の情報表示方法において、
前記表示手段が、外部から指定情報が入力された場合、該指定情報を無線にて前記制御手段に送信する処理と、
前記制御手段が、前記表示手段から送信されてきた指定情報を前記通信回線を介して前記情報配信手段に送信する処理と、
前記情報配信手段が、前記制御手段から送信されてきた指定情報に応じた表示情報を配信する処理とを有することを特徴とする情報表示方法。
【請求項６】
情報配信手段から配信された表示情報を表示する情報表示装置であって、
内部電源と、
前記表示情報を無線回線を介して受信する無線送受信手段と、
前記無線送受信手段にて受信された表示情報が表示されるディスプレイとを有する情報表示装置。
【発明の詳細な説明】
【技術分野】
【０００１】
本発明は、広告等の情報を表示する情報表示システム、情報表示方法及び情報表示装置に関する。
【背景技術】
【０００２】
従来より、ショッピングモール等において、文字や画像からなる情報が表示可能なディスプレイを用いて広告情報を表示することが行われている。例えば、ショッピングモール内の店舗にて販売される商品情報や店舗にて行われるイベント情報等を表示し、それにより、店舗への集客率を向上させることが行われている。
【０００３】
このようなシステムにおいては、一般的に、情報が表示されるディスプレイに電源コード及びＬＡＮケーブルが接続され、電源コードを介してディスプレイに電源が供給されるとともに、ＬＡＮケーブルを介して接続された表示制御装置によってディスプレイにおける情報の表示が制御されている。
【０００４】
ここで、上述したディスプレイのような情報表示装置をインターネットに接続可能に構成し、それにより、情報表示装置にて多くの情報を表示することができるようにした技術が考えられている（例えば、特許文献１参照。）。この技術においては、広告主から提供された広告情報が配信センターに予め登録されており、この配信センターに登録された広告情報がインターネットを介して情報表示装置に配信されることになる。
【特許文献１】特開２００４−２１２９１４号公報
【発明の開示】
【発明が解決しようとする課題】
【０００５】
しかしながら、上述したような従来のものにおいては、情報表示装置と表示制御装置あるいはインターネットとを接続するためのケーブルや、情報表示装置に電源を供給するための電源ケーブルを情報表示装置に接続する必要があるため、情報表示装置の設置場所に制約が生じ、それにより、通行人の動線に応じた場所や、表示される情報に適した場所に情報表示装置を設置することができず、情報表示による効果を最大限に得ることができないという問題点がある。また、通行人がこれらのケーブルに足を引っ掛け、通行人や情報表示装置が転倒したり、ケーブルが破損あるいは抜けてしまったりする虞れがある。
【０００６】
本発明は、上述したような従来の技術が有する問題点に鑑みてなされたものであって、安全性を確保することができ、かつ、任意の場所にて表示情報を提供することができる情報表示システム、情報表示方法及び情報表示装置を提供することを目的とする。
【課題を解決するための手段】
【０００７】
上記目的を達成するために本発明は、
情報配信手段から通信回線を介して配信される表示情報を表示する情報表示システムであって、
前記情報配信手段から配信された表示情報を表示する表示手段と、
前記情報配信手段から配信された表示情報を前記通信回線を介して受信し、該表示情報を無線にて前記表示手段に送信する制御手段とを有し、
前記表示手段は、前記制御手段から送信された表示情報を無線回線を介して受信し、該表示情報を表示する。
【０００８】
上記のように構成された本発明においては、情報配信手段から表示情報が配信されると、まず、制御手段において、情報配信手段から配信された表示情報が通信回線を介して受信され、受信された表示情報が無線にて表示手段に送信される。その後、表示手段において、制御手段から送信された表示情報が無線回線を介して受信され、その表示情報が表示されることになる。
【０００９】
このように、表示情報を表示する表示手段においては、無線回線を介して表示情報が受信されて表示されるので、表示情報を受信するためのＬＡＮケーブル等を接続する必要がなくなり、それにより、任意の場所にて表示情報を提供することができるようになるとともに、安全性が確保されることになる。
【００１０】
また、表示手段が内部電源を有する構成とすれば、表示手段に電源を供給するためのケーブルを接続する必要がなくなり、それにより、さらに、任意の場所にて表示情報を提供することができるようになるとともに、安全性が確保されることになる。
【００１１】
また、表示手段において、外部から指定情報が入力された場合、該指定情報を無線にて制御手段に送信し、制御手段において、表示手段から送信されてきた指定情報を通信回線を介して情報配信手段に送信し、情報配信手段において、制御手段から送信されてきた指定情報に応じた表示情報を配信する構成とすれば、表示手段と情報配信手段との双方向の情報通信が可能となり、表示手段にて表示される表示情報を見た消費者に適した表示情報を配信することができる。
【発明の効果】
【００１２】
以上説明したように本発明においては、表示情報を表示する表示手段において無線回線を介して表示情報が受信されて表示される構成としたため、表示手段に表示情報を受信するためのＬＡＮケーブル等を接続する必要がなくなり、それにより、任意の場所にて表示情報を提供することができるようになるとともに、安全性を確保することができる。
【発明を実施するための最良の形態】
【００１３】
以下に、本発明の実施の形態について図面を参照して説明する。
【００１４】
図１は、本発明の情報表示システムの実施の一形態を示す図である。
【００１５】
本形態は図１に示すように、通信回線となるブロードバンドネットワーク４０に接続可能に構成され、ブロードバンドネットワーク４０を介して表示情報であるコンテンツ情報を配信する情報配信手段であるコンテンツ配信サーバ１０と、コンテンツ配信サーバ１０から配信されたコンテンツ情報をブロードバンドネットワーク４０を介して受信し、受信したコンテンツ情報を無線にて送信する制御手段である表示制御装置３０と、表示制御装置３０から送信されたコンテンツ情報を無線回線を介して受信して表示する表示手段である移動式ブロードバンド掲示板２０とから構成されている。
【００１６】
コンテンツ配信サーバ１０は、動画からなるコンテンツ情報が登録されたコンテンツ情報データベース１３を有し、コンテンツ情報データベース１３に登録されたコンテンツ情報をブロードバンドネットワーク４０を介して送信したり、コンテンツ情報を指定するための指定情報をブロードバンドネットワーク４０を介して受信したりする送受信部１１と、ブロードバンドネットワーク４０を介して送信するコンテンツ情報をコンテンツ情報データベース１３から抽出するコンテンツ情報抽出部１２とが設けられている。
【００１７】
また、移動式ブロードバンド掲示板２０は、コンテンツ配信サーバ１０から配信されたコンテンツ情報が表示されるディスプレイ２１と、内部電源となる燃料電池が内蔵され、コンテンツ配信サーバ１０から配信されたコンテンツ情報をディスプレイ２１に表示したり、外部から入力された指定情報を表示制御装置３０に送信したりする燃料電池式ＰＣ２２とから構成され、燃料電池式ＰＣ２２は、表示制御装置３０から送信されたコンテンツ情報を無線回線を介して受信したり、外部から入力された指定情報を無線にて表示制御装置３０に送信したりする無線送受信部２３と、無線送受信部２３にて受信されたコンテンツ情報をディスプレイ２１に表示したり、外部から入力された指定情報を無線送受信部２３を介して表示制御装置３０に送信したりする制御部２５と、これらを駆動するための燃料電池からなる電源部２４とから構成されている。
【００１８】
また、表示制御装置３０は、コンテンツ配信サーバ１０から配信されたコンテンツ情報をブロードバンドネットワーク４０を介して受信したり、移動式ブロードンバンド掲示板２０から送信されてきた指定情報をブロードバンドネットワーク４０を介してコンテンツ配信サーバ１０に送信したりする送受信部３１と、送受信部３１にて受信したコンテンツ情報を無線にて移動式ブロードバンド掲示板２０に送信したり、移動式ブロードバンド掲示板２０から送信されてきた指定情報を無線回線を介して受信したりする無線送受信部３２と、コンテンツ配信サーバ１０から配信されたコンテンツ情報の移動式ブロードバンド掲示板２０における表示を制御する制御部３３とから構成されている。
【００１９】
以下に、上記のように構成された情報表示システムにおける情報表示方法についてフローチャートを参照して説明する。
【００２０】
図２は、図１に示した情報表示システムにおける情報表示方法を説明するためのフローチャートである。
【００２１】
まず、コンテンツ配信サーバ１０のコンテンツ情報抽出部１２において、移動式ブロードバンド掲示板２０にて表示するコンテンツ情報がコンテンツ情報データベース１３から抽出される（ステップＳ１）。ここで、コンテンツ情報抽出部１２におけるコンテンツ情報データベース１３からのコンテンツ情報の抽出は、例えば、移動式ブロードバンド掲示板２０の設置場所やそのコンテンツ情報の表示時刻等に応じてどのコンテンツ情報を配信するかが設定されたテーブル（不図示）が参照されて行われること等が考えられる。
【００２２】
コンテンツ情報抽出部１２にてコンテンツ情報データベース１３から抽出されたコンテンツ情報は、コンテンツ配信サーバ１０の送受信部１１に渡され、コンテンツ情報毎に予め決められた時刻に送受信部１１からブロードバンドネットワーク４０に送信される（ステップＳ２）。なお、この送受信部１１からのコンテンツ情報の送信開始の処理においても、上述したコンテンツ情報データベース１３からのコンテンツ情報の抽出処理と同様に、移動式ブロードバンド掲示板２０毎あるいはコンテンツ情報毎に送信開始の時刻が予め設定されたテーブル（不図示）が参照されて行われること等が考えられる。
【００２３】
コンテンツ配信サーバ１０から送信されたコンテンツ情報は、ブロードバンドネットワーク４０を介して表示制御装置３０の送受信部３１にて受信される（ステップＳ３）。
【００２４】
コンテンツ配信サーバ１０から送信されたコンテンツ情報が送受信部３１にて受信されると、表示制御装置３０の制御部３３における制御によって、移動式ブロードバンド掲示板２０毎あるいはコンテンツ情報毎に予め決められた時刻にコンテンツ情報が無線送受信部３２から無線にて送信される（ステップＳ４）。これにより、表示制御装置３０にて移動式ブロードバンド掲示板２０におけるコンテンツ情報の表示が制御されることにある。なお、この無線送受信部３２からのコンテンツ情報の送信開始の処理においても、上述したものと同様に、移動式ブロードバンド掲示板２０毎あるいはコンテンツ情報毎に送信開始の時刻が予め設定されたテーブル（不図示）が参照されて行われること等が考えられるが、コンテンツ配信サーバ１０からのコンテンツ情報の送信開始の時刻と表示制御装置３０からのコンテンツ情報の送信開始の時刻との両方を制御する必要はない。
【００２５】
表示制御装置３０から無線にて送信されたコンテンツ情報は、移動式ブロードバンド掲示板２０を構成する燃料電池式ＰＣ２２の無線送受信部２３にて受信される（ステップＳ５）。
【００２６】
その後、燃料電池式ＰＣ２２の制御部２５における制御によって、無線送受信部２３にて受信されたコンテンツ情報がディスプレイ２１に表示される（ステップＳ６）。
【００２７】
上述したような処理が、移動式ブロードバンド掲示板２０に配信されるコンテンツ情報毎に決められた時刻に行われることで、１つの移動式ブロードバンド掲示板２０にて複数のコンテンツ情報を順次表示することができる。
【００２８】
以下に、図１に示した情報表示システムにおいて双方向通信を用いた情報表示方法について説明する。
【００２９】
図３は、図１に示した情報表示システムにおいて双方向通信を用いた情報表示方法を説明するためのフローチャートである。
【００３０】
コンテンツ配信サーバ１０から配信されたコンテンツ情報が移動式ブロードバンド掲示板２０のディスプレイ２１に表示されている状態において、コンテンツ情報を指定するための指定情報が移動式ブロードバンド掲示板２０に入力されると（ステップＳ１１）、制御部２５における制御によって、入力された指定情報が無線送受信部２３から無線にて表示制御装置３０に送信される（ステップＳ１２）。ここで、移動式ブロードバンド掲示板２０に対する指定情報の入力は、ディスプレイ２１に表示されたコンテンツ情報内に、次にディスプレイ２１に表示したいコンテンツ情報を指定するためのボタンを掲載しておき、このボタンをカーソルで指定することによって行うことや、ディスプレイ２１をタッチパネル機能を有する構成として、コンテンツ情報内に掲載されたボタンを指で触れることで指定することによって行うこと等が考えられる。また、このコンテンツ情報を指定するためのボタンとしては、次にディスプレイ２１に表示したいコンテンツ情報の種類を示すものや、ディスプレイ２１に表示されたコンテンツ情報に掲載された質問に対する回答を示すもの等が考えられる。
【００３１】
移動式ブロードバンド掲示板２０から送信された指定情報は、無線回線を介して表示制御装置３０の無線送受信部３２にて受信される（ステップＳ１３）。
【００３２】
移動式ブロードバンド掲示板２０から送信された指定情報が無線送受信部３２にて受信されると、表示制御装置３０の制御部３３における制御によって、無線送受信部３２にて受信された指定情報が送受信部３１からブロードバンドネットワーク４０に送信される（ステップＳ１４）。
【００３３】
表示制御装置３０から送信された指定情報は、ブロードバンドネットワーク４０を介してコンテンツ配信サーバ１０の送受信部１１にて受信される（ステップＳ１５）。
【００３４】
表示制御装置３０から送信された指定情報が送受信部１１にて受信されると、コンテンツ情報抽出部１２において、送受信部１１にて受信された指定情報によって指定されるコンテンツ情報がコンテンツ情報データベース１３から抽出される（ステップＳ１６）。ここで、コンテンツ情報抽出部１２におけるコンテンツ情報データベース１３からのコンテンツ情報の抽出は、例えば、移動式ブロードバンド掲示板２０にて入力された指定情報に応じてどのコンテンツ情報を配信するかが設定されたテーブル（不図示）が参照されて行われること等が考えられる。
【００３５】
コンテンツ情報抽出部１２にてコンテンツ情報データベース１３から抽出されたコンテンツ情報は、コンテンツ配信サーバ１０の送受信部１１に渡され、送受信部１１からブロードバンドネットワーク４０に送信される（ステップＳ１７）。
【００３６】
コンテンツ配信サーバ１０から送信されたコンテンツ情報は、ブロードバンドネットワーク４０を介して表示制御装置３０の送受信部３１にて受信される（ステップＳ１８）。
【００３７】
コンテンツ配信サーバ１０から送信されたコンテンツ情報が送受信部３１にて受信されると、表示制御装置３０の制御部３３における制御によって、受信されたコンテンツ情報が無線送受信部３２から無線にて送信される（ステップＳ１９）。
【００３８】
表示制御装置３０から無線にて送信されたコンテンツ情報は、移動式ブロードバンド掲示板２０を構成する燃料電池式ＰＣ２２の無線送受信部２３にて受信される（ステップＳ２０）。
【００３９】
その後、燃料電池式ＰＣ２２の制御部２５における制御によって、無線送受信部２３にて受信されたコンテンツ情報がディスプレイ２１に表示される（ステップＳ２１）。
【００４０】
これにより、移動式ブロードバンド掲示板２０に表示されたコンテンツ情報内にて指定された指定情報に応じたコンテンツ情報が移動式ブロードバンド掲示板２０のディスプレイ２１に表示されることになる。すなわち、移動式ブロードバンド掲示板２０とコンテンツ配信サーバ１０との双方向の情報通信が可能となり、移動式ブロードバンド掲示板２０にて表示されたコンテンツ情報を見た消費者に適したコンテンツ情報を配信することができる。
【００４１】
なお、本形態においては、動画からなるコンテンツ情報がコンテンツ配信サーバ１０のコンテンツ情報データベース１３に登録されており、この動画からなるコンテンツ情報がコンテンツ配信サーバ１０から配信されて移動式ブロードバンド掲示板２０に表示される場合を例に挙げて説明したが、コンテンツ情報としては、静止画からなるものであってもよい。
【図面の簡単な説明】
【００４２】
【図１】本発明の情報表示システムの実施の一形態を示す図である。
【図２】図１に示した情報表示システムにおける情報表示方法を説明するためのフローチャートである。
【図３】図１に示した情報表示システムにおいて双方向通信を用いた情報表示方法を説明するためのフローチャートである。
【符号の説明】
【００４３】
１０    コンテンツ配信サーバ
１１，３１    送受信部
１２    コンテンツ情報抽出部
１３    コンテンツ情報データベース
２０    移動式ブロードバンド掲示板
２１    ディスプレイ
２２    燃料電池式ＰＣ
２３，３２    無線送受信部
２４    電源部
２５，３３    制御部
３０    表示制御装置
４０    ブロードバンドネットワーク
【図１】
2006221535.tif 000003
【図２】
2006221535.tif 000004
【図３】
2006221535.tif 000005